(57)【要約】      （修正有）【課題】収納したメダルの受渡部を小型化でき、かつ、構造簡単にしてメンテナンスフリー化およびコストダウンが可能なメダル処理装置のメダルリフト装置を提供する。【解決手段】扁平ループ状に並置され、かつ、一方向に移動される一対の無端循環体に飼い葉桶形のバケットを所定間隔で取り付け、下方の受取位置において前記バケットにメダルを受け入れた後、上方へ移動し、上方の受渡位置において前記バケット内のメダルを次行程に受け渡すメダルの処理装置において、前記バケットが前記無端循環体にピボット運動可能であり、前記バケットは前記メダルの受入位置から前記上方の所定位置近傍まで上下方向に延びるガイドにより保留位置に保持され、前記所定位置において前記ガイドから外れ、自重によりバケット無端循環体に囲われた扁平部側にピボット運動可能に取り付けられていることを特徴とするメダル処理装置のメダルリフト装置である。【選択図】図９
2007061447.tif 000002
【特許請求の範囲】
【請求項１】
扁平ループ状に並置され、かつ、一方向に移動される一対の無端循環体(246、248)に飼い葉桶形のバケット(250)を所定間隔で取り付け、下方の受取位置(RP)において前記バケットにメダルを受け入れた後、上方へ移動し、上方の受渡位置(PP)において前記バケット内のメダルを次行程(232)に受け渡すメダルの処理装置において、
前記バケットが前記無端循環体にピボット運動可能であり、
前記バケットは前記メダルの前記受取位置から前記上方の前記受渡位置近傍まで上下方向に延びるガイド(292)により保留状態(SS)に保持され、前記受渡位置において前記ガイドから外れ、自重により保留メダルを落下可能位置へピボット運動可能に取り付けられていることを特徴とするメダル処理装置のメダルリフト装置。
【請求項２】
扁平ループ状であって、かつ、所定の間隔で並置され、さらに、一方向に移動される一対の無端循環体に飼い葉桶形のバケットを所定間隔で取り付け、下方の受取位置において前記バケットにメダルを受け入れた後、上方へ移動し、上方の受渡位置において前記バケット内のメダルを次行程に受け渡すメダルの処理装置において、
前記一の無端循環体から対の無端循環体に向かって突出する支軸(264、266)と、前記支軸に中間をピボット運動可能に支持された支持体(268、270)と、前記支持体間に側壁を取りつけられた飼い葉桶形のトレイ(272)とにより前記トレイが下向きになるモーメントを有するバケット(250)を構成し、前記無端循環体から突出する規制ピン(274、276)を前記支持体に形成した前記支軸を中心とする弧状長孔(278、280)に突入させて前記支持体のピボット運動範囲を規制し、前記無端循環体の内側に位置し、かつ、前記支持体を下方のメダル受取位置から上方の受渡位置直前まで連続するガイドを設け、前記ガイドに前記支持体の一部をガイドさせて前記バケットの上向き姿勢を維持しつつ上方へ搬送し、前記受渡位置において自己モーメントにより前記バケットを下向きにしてメダルを次行程へ受け渡すことを特徴とするメダル処理装置のメダルリフト装置。
【発明の詳細な説明】
【技術分野】
【０００１】
本発明は、ゲーム場で用いるメダル等のトークン、パチンコ玉等のメダル処理装置のメダルリフト装置に関する。
特に、メダル処理装置の限られた筐体内に多量のメダルを保留することができるようにした小型のメダルリフト装置に関する。
なお、本明細書で使用する「メダル」は、パチスロ機やメダルゲーム機用のメダル、トークン、代用コイン、及び、パチンコ玉等の遊技媒体の総称である。
【背景技術】
【０００２】
第１の従来技術として、メダル預かり払出装置において、筐体の下方に受け入れたメダルのストック部を配置し、上方に払出のためのストック部を配置し、受入ストック部のメダルを搬送用ベルトコンベア及びリフト装置を用いて払出ストック部に揚送することが知られている(例えば、特許文献１参照。)。
【０００３】
第２の従来技術とし、バケットをチェーンにピボット運動可能に取りつけ、受渡位置においてバケットを自重によるモーメントによりピボット運動させて受け渡すことが知られている(例えば、特許文献２参照。)。
【０００４】
【特許文献１】特開2002-126177 (５―６頁、図４)
【特許文献２】特開平10-266113 (２―３頁、図１−４)
【発明の開示】
【発明が解決しようとする課題】
【０００５】
メダル処理装置は、多数のゲーム機と同じ室内に設置されるため、可及的に小型にすることが要求される。
また、メダル保留量はメダルの補給回数を減らすため可及的に多いことが要求される。
そのため、メダル保留装置以外の装置は小型化が要求される。
小型化が求められる装置の一つとしてメダルを下位置から上位置に搬送するリフト装置がある。
リフト装置として、第２の従来装置のようなバケット式が一般的に用いられる。
第２の従来技術は、チェーンが上方の反転位置において、その進行方向が上向きから下向きへ弧状を描いて変化することを利用してバケット内に収納した物を次行程へ受け渡している。
このため、チェーンの反転域を大きくしなければならず、小型化には限界があった。
また、メンテナンスフリー化やコストダウンも要請されている。
【０００６】
本発明の第１の目的は、小型のメダル処理装置のメダルリフト装置を提供することを目的とする。
本発明の第２の目的は、小型、かつ、構造簡単にしてメンテナンスフリー化が可能なメダル処理装置のメダルリフト装置を提供することを目的とする。
本発明の第３の目的は、小型、かつ、構造簡単にしてコストダウンが可能なメダル処理装置のメダルリフト装置を提供することを目的とする。
【課題を解決するための手段】
【０００７】
この目的を達成するため、本発明にかかるメダルの処理装置は以下のように構成されている。
扁平ループ状に並置され、かつ、一方向に移動される一対の無端循環体に飼い葉桶形のバケットを所定間隔で取り付け、下方の受取位置において前記バケットにメダルを受け入れた後、上方へ移動し、上方の受渡位置において前記バケット内のメダルを次行程に受け渡すメダルの処理装置において、前記バケットが前記無端循環体にピボット運動可能であり、前記バケットは前記メダルの前記受取位置から前記上方の前記受渡位置近傍まで上下方向に延びるガイドにより保留状態に保持され、前記受渡位置において前記ガイドから外れ、自重により保留メダルを落下可能位置へピボット運動可能に取り付けられていることを特徴とするメダル処理装置のメダルリフト装置である。
【発明の効果】
【０００８】
この構成において、一対の無端循環体は扁平ループ状であり、所定の間隔で並置される。
この扁平ループ状に配置された無端循環体に飼い葉桶形のバケットがピボット運動可能に、かつ、所定の間隔で複数取りつけられている。
さらにバケットは扁平ループに内包されるように位置するガイドにより通常はメダルの保留位置に保持される。
バケットが受渡位置に達した場合、前記ガイドの案内から外れるので、自重によりピボット運動して下向きになり、搬送したメダルを滑落させて次行程へ受け渡す。
したがって、無端循環体は扁平であり、バケットを保留位置に保持するガイドは前記扁平内に位置するよう配置され、かつ、パケットは次行程へ受け渡す際に所定範囲でピボット運動するので、メダルリフト装置は全体として縦長、かつ、扁平に作ることが出来、小型化できる利点がある。
また、本発明のメダルリフト装置は一対の無端循環体、バケット及びガイドにより構成されるので、構成が簡単であり、メンテナンスフリー化が可能であり、かつ、安価である利点がある。
【０００９】
請求項２の発明は、扁平ループ状であって、かつ、所定の間隔で並置され、さらに、一方向に移動される一対の無端循環体に飼い葉桶形のバケットを所定間隔で取り付け、下方の受取位置において前記バケットにメダルを受け入れた後、上方へ移動し、上方の受渡位置において前記バケット内のメダルを次行程に受け渡すメダルの処理装置において、前記一の無端循環体から対の無端循環体に向かって突出する支軸と、前記支軸に中間をピボット運動可能に支持された支持体と、前記支持体間に側壁を取りつけられた飼い葉桶形のトレイとにより前記トレイが下向きになるモーメントを有するバケットを構成し、前記無端循環体から突出する規制ピンを前記支持体に形成した前記支軸を中心とする弧状長孔に突入させて前記支持体のピボット運動範囲を規制し、前記無端循環体の内側に位置し、かつ、前記支持体を下方のメダル受取位置から上方の受渡位置直前まで連続するガイドを設け、前記ガイドに前記支持体の一部をガイドさせて前記バケットの上向き姿勢を維持しつつ上方へ搬送し、前記受渡位置において自己モーメントにより前記バケットを下向きにしてメダルを次行程へ受け渡すことを特徴とするメダル処理装置のメダルリフト装置である。
この構成において、一対の無端循環体は扁平ループ状であり、所定の間隔で並置される。
前記無端循環体から突出する支軸に中間をピボット運動可能に支持された支持体間に飼い葉桶形のトレイを固定することにより飼い葉桶形のバケットが構成される。
このバケットは、無端循環体に対しピボット運動可能である。
前記支持体に形成された弧状長孔に無端循環体から突出する規制ピンが突入され、バケットのピボット運動範囲を規制し、受渡位置が確定される。
また、扁平ループに内包されるよう配置されたガイドにより、支持体が案内され、バケットはメダルの保留位置に保持される。
バケットが受渡位置に位置した場合、前記ガイドにより支持体が案内されないので、自重によりピボット運動し、規制ピンによってピボット運動を規制されて下向きになるので、搬送したメダルをバケット上を滑らせて次行程へ受け渡す。
したがって、無端循環体は扁平であり、バケットを保留位置に保持するガイドは前記扁平内に位置するよう配置され、かつ、パケットは次行程へ受け渡す際にピボット運動するので、メダルリフト装置は全体として縦長、かつ、扁平であり、小型化できる利点がある。
また、本発明のメダルリフト装置は一対の無端循環体、バケット及びガイドにより構成されるので、構造が簡単であるのでメンテナンスフリー化が可能になると共に、安価である利点がある。
【発明を実施するための最良の形態】
【００１０】
扁平ループ状であって、かつ、所定の間隔で並置され、さらに、一方向に移動される一対の無端循環体に飼い葉桶形のバケットを所定間隔で取り付け、下方の受取位置において前記バケットにメダルを受け入れた後、上方へ移動し、上方の受渡位置において前記バケット内のメダルを次行程に受け渡すメダルの処理装置において、前記一の無端循環体から対の無端循環体に向かって突出する支軸と、前記支軸に中間をピボット運動可能に支持された支持体と、前記支持体間に側壁を取りつけられた飼い葉桶形のトレイと、により前記トレイが下向きになるモーメントを有するバケットを構成し、前記無端循環体から突出する規制ピンを前記支持体に形成した前記支軸を中心とする弧状長孔に突入させて前記支持体のピボット運動範囲を規制し、前記無端循環体の内側に位置し、かつ、前記支持体を下方のメダル受取位置から上方の受渡位置直前まで連続するガイドを設け、前記ガイドに前記支持体の一部をガイドさせて前記バケットの上向き姿勢を維持しつつ上方へ搬送し、前記受渡位置において自己モーメントにより前記バケットを下向きにしてメダルを次行程へ受け渡すことを特徴とするメダル処理装置のメダルリフト装置である。
【実施例】
【００１１】
図１は、実施例のメダル保留装置を装着したメダルの処理装置であるメダル預かり払出装置の斜視図である。
図２は、実施例のメダル保留装置を装着したメダルの処理装置であるメダル預かり払出装置の前面ドアを開き、メダル保留装置を引出した状態の斜視図である。
図３は、実施例のメダル保留装置を装着したメダルの処理装置であるメダル預かり払出装置のサイドカバー等を除去した状態における後ろ上方からの斜視図である。
図４は、実施例のメダル保留装置の左正面上方からの斜視図である。
図５は、実施例のメダルリフト装置の斜視図である。
図６は、実施例のメダルリフト装置の上端部の拡大斜視図である。
図７は、実施例のメダルリフト装置の上端部の正面図である。
図８は、実施例のメダルリフト装置の受入位置における搬送装置とリフト装置との位置関係を示す要部断面図である。
図９は、図７におけるＡ−Ａ断面図である。
【００１２】
図１において、メダルの処理装置100は、メダル預かり払出装置102である。
メダル預かり払出装置102は、その箱型の筐体104の前面上部ドア106にガイド表示装置108及び入力装置110を兼ねるタッチパネル付ディスプレイ112が装着されている。
前面上部ドア106は、左側端に配置されたヒンジ114によってピボット運動可能に筐体104に取付けられている。
筐体104の前面下部は、前面上部ドア106と同様に左側端に配置されたヒンジ(図示せず)によりピボット運動可能に筐体104に取り付けられた前面下部ドア116によって開閉される。
【００１３】
前面下部ドア116の上部にメダル預入口118、メダル預入口118の右側に本人認証装置120である生体認証装置122、左側に払出メダルを入れる容器124のための容器投入口126が配置され、容器投入口126の下方に容器取出口128、生体認証装置122の上方にIDカード挿入口130、及び、メダル預入口118の下方に人体センサ132が配置されている。
【００１４】
また、図3に示すように、筐体104内には、筐体104の高さ方向のほぼ三分の一を占める主メダル保留装置134、その上方に各装置とメダル処理装置制御装置136との間のインターフェース装置138、及び、メダルカウンタ140が並置され、メダルカウンタ140の上方にはカードリードライト装置142が配置され、インターフェース装置138の上方にはメダル払出装置144が配置され、メダル払出装置144の上方には払出メダル保留装置146が配置され、メダル払出装置144の側方にはメダル処理装置制御装置136が並置され、さらに主メダル保留装置134から払出メダル保留装置146へメダルを供給するメダルリフト装置148が配置され、容器投入口126の下方には、容器自動供給装置150が配置されている。
【００１５】
筐体104の下面の四隅からネジ式の高さ調整装置152が下方に突出し、それらの下端は左右一対の支えプレート154に取り付けられている。
したがって、メダル預かり払出装置102の全重量は、支えプレート154を介して床面によって支えられ、かつ、高さ調整装置152の個別の調整により、水平出しが行われる。
【００１６】
まず、タッチパネル付ディスプレイ112を説明する。
タッチパネル付ディスプレイ112は、メダル預かり払出装置102の顧客に対するガイド表示装置108及び顧客による入力装置110を兼用している。
したがって、ガイド表示装置及び入力装置に分離して設けることができる。
もちろん、顧客に限らず、メダル預かり払出装置102の管理のための設定、及び、確認機能、並びに、メンテナンスのための設定、確認機能等を兼用することができる。
【００１７】
次に、メダル預入口118を説明する。
メダル預入口118は、顧客が預け入れようとするメダルを受入れ、メダルカウンタ140へ案内する機能を有する。
具体的には、メダル預かり払出装置102の前面の中央であって、かつ、顧客の平均的腰部高さ位置付近の前下がり斜面160にほぼ水平に開口している。
メダル預入口118には、梯子状若しくは格子状等に横木を配置し、一気に投入されたメダルがジャムしないように、かつ、顧客が預入口118の奥に手を挿入出来ないようにすることが好ましい。
メダル預入口118の前方に、メダル預入口118とほぼ同一高さ位置に平坦部156を有する容器テーブル158を配置することが好ましい。
タッチパネル付ディスプレイ112を操作する場合、若しくは、生体認証装置122により認証する場合、顧客が持参した容器124を一時置くため等である。
【００１８】
次に生体認証装置122を説明する。
生体認証装置122は、メダル預かり払出装置102にメダルを預入又は払出す顧客が本人であることを確認するための機能を有する。
生体認証装置122は、本実施例においては、手のひら静脈認証装置を使用している。
汗等による影響が少なく、識別精度が高く、かつ、比較的安価であるからである。
しかし、生体認証装置122は、指紋、掌紋、目、顔認証、パスワード等本人確認のための各種システムを採用することができる。
生体認証装置122は、メダル預入口118の右側の前下がり斜面160にメダル預入口118と並列配置することが好ましい。
【００１９】
右側に生体認証装置122を配置する理由は、右利きの人が多いことによる。
また、メダル預入口118に並置した理由は、容器124をテーブル158に置いた後、横にずらすだけで、又は、IDカード挿入口130から下方にずらすだけで手をかざすことが出来るからである。
生体認証装置122が前下がり斜面160に平行に配置された場合、手のひらを装置にかざしやすいからである。
しかし、生体認証装置122は水平に配置することができる。
メダル預入口118と生体認証装置122との間の前下がり斜面160に仕切板162が配置されている。
メダル預入口118に投入されるメダルが生体認証装置122に落下しないためである。
【００２０】
次に容器投入口126を説明する。
容器投入口126は、メダル預入口118に隣接して配置されている。
このように配置した理由は、収容したメダルをメダル預入口118に投入した後の空容器124を容器投入口126に投入し易いからである。
したがって、本人認証を生体認証装置122と別の方法で行う場合、若しくは、全く行わない場合、容器投入口126は、メダル預入口118の右側に配置することができる。
また、容器投入口126は、メダル預入口118の左側にほぼ水平に配置することが好ましい。
この理由は、右手を生体認証装置122にかざし、タッチパネル付ディスプレイ112も右手で操作されることが多いと予測されるので、空き手である左手で投入可能にするためである。
【００２１】
容器投入口126は、傾斜した下端部が前下がり斜面160に固定された円筒状ガイド164の上端166がほぼ水平に配置されている。
容器投入口126は、使用する容器124の形状に合わせて形成され、本実施例では円形であり、使用される容器124の全長にわたって最大径よりも僅かに大径であり、かつ、上方から下方に向かって下すぼまりのテーパー状の案内孔168の上端である。
円筒状ガイド164の下方に、メダルの容器自動供給装置150が配置されている。
【００２２】
次に容器自動供給装置150を説明する。
容器自動供給装置150は、供給信号に基づいてメダルを収納するバケット型のメダル収納容器124を自動的に一つずつ払出装置170に供給する機能を有している。
容器自動供給装置150は、容器投入口126から投入された容器124が積み重ねられた容器保留部(図示せず)と、その積み重ねられた最下の容器124を区分けし、払出装置170へ落下させる分離装置(図示せず)とを有する。
容器自動供給装置150から落下した容器124は、自由落下し、払出装置170に装着された保持装置(図示せず)によって所定の位置に保持される。
【００２３】
次ぎに払出装置170を説明する。
払出装置170は、容器自動供給装置150によって供給された容器124にメダルを払い出す機能を有する。
払出装置170において、容器自動供給装置150から落下した容器124は、保持装置(図示せず)によって所定位置に保持され、メダル払出装置144から払い出されたメダルがメダル通路172を介してその容器124に供給される。
メダルが払い出された容器124は、前面下部ドア116の容器取出口128から取り出される。
【００２４】
次にIDカード挿入口130を説明する。
IDカード挿入口130は、カードリードライト装置142の縦向き前面に設けられ、メダル預かり払出装置102の前面上部ドア106に配置されている。
IDカード(図示せず)には、顧客毎のIDが記憶されている。
顧客は、IDカードを挿入口130に挿入する。
カードリードライト装置142は、記憶されているIDから登録されている認証情報を読込み、メダル処理装置制御装置136に出力して次行程の処理に活用する。
【００２５】
次に人体センサ132を説明する。
人体センサ132は、顧客が近づいてきたことを検知し、顧客用のガイドをタッチパネル付ディスプレイ112に表示するためのトリガー信号を発する。
人体センサ132は、例えば赤外線センサであり、人体が約40センチに近づいた場合、顧客検出信号をメダル処理装置制御装置136に出力する。
【００２６】
次にメダルカウンタ140を説明する。
メダルカウンタ140は、メダル預入口118に投入されたメダルを受入れ、その数を高速で計数し、計数値をメダル処理装置制御装置136に出力する機能を有する。
メダルカウンタ140は、一分間で約2000枚以上の処理能力が好ましい。
また、メダルカウンタ140は、直径、厚み、材質の規格外のメダルの排除機能を有していることが好ましいが、少なくとも直径及び厚みの規格外のメダルの排除機能を有していればよい。
【００２７】
次に主メダル保留装置134を図４を参照して説明する。
主メダル保留装置134は、メダルカウンタ140の出口180から落下したメダルを受入部182から受入れて保留し、払出メダル保留装置146の第１フルセンサ184からのフル信号が出力されない場合、搬送装置186上に所定枚数、例えば10枚のメダルを間欠的に払い出す。
主メダル保留装置134は、大凡筐体104のほぼ全幅及び奥行きを占め、かつ、筐体104の高さの約三分の一を占める容積を有する。
換言すれば、主メダル保留装置134は、メダル預かり払出装置102において保留するメダルの大部分、例えば大凡三分の二のメダルを貯留する。
これにより、メダル処理装置100における重量部を筐体104の下方に配置し、メダル処理装置100の重心を低くし地震等の振動発生時の倒れ防止を図っている。
【００２８】
主メダル保留装置134は、メダルを主に保留する保留ボウル188、その下方に配置した払出装置190、払出装置190から払い出されたメダルをリフト装置148に受け渡す搬送装置186、保留ボウル188からオーバーフローしたメダルをリザーブするオーバーフローボウル194及びオーバーフローボウル194から保留ボウル188へメダルを還流する還流装置196によって構成されている。
【００２９】
まず、保留ボウル188を説明する。
保留ボウル188は、メダルカウンタ140の出口180から落下するメダルをリフト装置148の近傍の受入部182に受入れ、ほぼ矩形の保留部198にバラ積み状態に保留する。
保留ボウル188の底壁はメダルが自重で滑落できるように傾斜し、次行程の払出装置190に自然落下する。
【００３０】
次に払出装置190を説明する。
払出装置190は、保留ボウル188に保留され、自重で落下するメダルを受け取り、一つずつ払い出す機能を有する。
払出装置190は、同一構造の複数の払出装置、すなわち、第１払出装置210、第２払出装置212、及び、第３払出装置214によって構成されている。
これら払出装置210、212、214は一列に整列され、保留ボウル188からメダルを受け取り、それぞれ一つずつ払い出す機能を有する。
さらに、払出装置238、240、242はリフト装置148から離れる方向に延びる直線に沿って整列されている。
【００３１】
次に搬送装置186を説明する。
搬送装置186は、複数の払出装置210、212及び214から受け取ったメダルを次の工程のリフト装置148に受け渡す機能を有する。
換言すれば、リフト装置148は、前工程の搬送装置186からのメダルを受け取る。
搬送装置186は、払出装置210、212及び214に沿って水平に配置された平ベルト216である。
平ベルト216は、その両側に平行に配置したプレート218及び220の下端部間に配置され、その上面はリフト装置148に向かって移動するよう第２電気モータ222によって駆動される。
平ベルト216、プレート218、220は一体化され、保留ボウル188に固定されている。
【００３２】
次に本発明に係るリフト装置148を図５から図８を参照して説明する。
リフト装置148は、前工程230である搬送装置186から受け取ったメダルを、次行程232である上方の払出メダル保留装置146に搬送する機能を有する。
リフト装置148は、所謂バケット型のコンベヤである。
【００３３】
図5に示すように、リフト装置148は、断面チャンネル形の本体240と、本体240の上下端部に回転自在に取りつけた上回転軸242、下回転軸244、それら回転軸の左右端部に固定したホイール(図示せず)、上下のホイール間に扁平ループ状に掛回した無端循環体246、248、それら無端循環体に所定の間隔で複数個取りつけたバケット250、無端循環体246、148の駆動用の第３電気モータ282及びバケット250の移動経路をカバーする断面チャンネル形のカバー254を含んでいる。
【００３４】
まず本体240を説明する。
本体240は、平板を板金加工により断面チャンネル形に成形し、その溝256が縦向きになるよう筐体104の背面に着脱自在に取りつけられる。
【００３５】
次に上回転軸242、下回転軸244を説明する。
上回転軸242及び下回転軸244は、一対の無端循環体246、248をホイールを介してピンと張った状態に保持する機能を有する。
上回転軸242は、本体240の溝256の上端部に水平に配置され、本体240に回転自在に軸受けされている。
下回転軸244は、本体240の溝256の下端部に水平に配置され、本体240に回転自在に軸受けされている。
これら上回転軸242及び下回転軸244の溝256内の左右端部に無端循環体を巻き掛けるホイールが固定されている。
【００３６】
次に無端循環体246、248を説明する。
無端循環体246、248はバケット250を移動させる機能を有する。
本実施例において、無端循環体246、248は所定の間隔で配置されたチェーン260、262である。
したがって、チェーン260、262は、上回転軸242及び下回転軸244に固定されたホイールとしてのスプロケットに巻き掛けられて張設されている。
換言すれば、チェーン260、262は、縦長扁平ループ形に所定の間隔で並置されている。
しかし、無端循環体246、248は、ベルト等の無端循環体を用いることができる。
また、チェーン260、262の一面は、搬送装置186に近接して上下方向に延びている。
【００３７】
次にバケット250を説明する。
バケット250は、搬送装置186から受け取ったメダルを保持して上方に搬送した後、払出メダル保留装置146に受け渡す機能を有する。
バケット250は、チェーン260、262の連接ピンから相対するチェーン側に突出する支軸264、266、支軸264、266に中間をピボット運動可能に支持された台形の支持体268、270、左右の支持体268、270に固定された飼い葉桶形のトレイ272及びチェーン260、262の連結ピンから相対するチェーン側に突出する規制ピン274、276がトレイ272が固定された端部に対し支軸264、266を挟んだ反対側の端部に形成した支軸264、266を中心とする弧状長孔278、280に挿入されたバケット姿勢規制装置282により構成される。
【００３８】
したがって、支持体268、270は規制ピン274、276が弧状長孔278、280の端部により停止される範囲において支軸264、266を中心に揺動することができる。
トレイ272は耐久性を考慮してステンレス板により構成されること、及び支軸264、266に対しトレイ272の取り付け部が弧状長孔278、280側よりも長いことから、バケット250は、自然状態において図9において支軸264、266を中心として反時計方向に回動するモーメントを有している。
これによりバケット250は、メダルを次行程へ供給する供給姿勢DSと、トレイ272内に保持する保持姿勢SSを取ることができる。
【００３９】
供給姿勢DSにおいて、トレイ272の底面が下向きに傾き、メダルが滑落する角度で弧状長孔278、280の一端部が規制ピン274、276にストップされる。
保持姿勢SSにおいて、トレイ272の底面が上向きに傾き、メダルがトレイ272内に保持される。
この保持姿勢SSは、図9に示すように、チェーン260、262で囲まれた扁平空間290に位置するよう配置された平板である案内体292によって支持体268、270の直線状端部294、296が案内されることにより保たれる。
また、チェーン260、262は、案内体292と案内体292に対しほぼチェーン260、262の高さの間隔で配置された第２案内体293によって案内され、一直線状に移動するよう案内される。
【００４０】
メダルの受渡位置PPにおいて、案内体292が配置されないので、バケット250は自己モーメントによって供給姿勢DSにピボット運動可能である。
チェーン260、262が上側のスプロケットを回り込んで下方へ移動する過程において、円弧長孔278、280の他端部に規制ピン274、276が停止されるので、バケット250は倒立状態を維持したまま下方へ移動する。
所定数のバケット250が、所定の間隔でチェーン260、262に取り付けられている。
【００４１】
次に電気モータ282による無端搬送体246、248の駆動機構を説明する。
電気モータ282は減速機構296を介してベベルギヤ298を駆動する。
ベベルギヤ298は、上回転軸242の端部に固定されているベベルギヤ300に噛み合っている。
したがって、電気モータ282の起動停止により、バケット250を所定の位置に停止し、搬送することができる。
【００４２】
次にカバー254を説明する。
カバー254は断面チャンネル形であって、本体240の溝256内に開放端側が配置される。
この状態でカバー254の内面とメダルの厚み以下に近接した状態でバケット250が上方へ移動する。
したがって、メダルは上方へ移動する過程において、バケット250内からこぼれ落ちることがない。
【００４３】
次に、リフト装置148の作用を説明する。
バケット250が搬送装置186からメダルを受け取る場合、チェーン260、262は図8に示す位置に停止される。
すなわち、平ベルト216の僅か下方であって、かつ、平ベルト216に近接した位置にトレイ272の先端が位置した状態で停止される。
この状態で、払出装置210、212、214が起動されて所定数のメダルが平ベルト216上に払い出される。
【００４４】
次に第２電気モータ222が起動され、ベルト216が所定時間、リフト装置148へ向かって移動されるので、ベルト216上のメダルはバケット250へ送り込まれる。  
その後第３電気モータ282が駆動され、次のバケット250が搬送装置186からの受取位置RPになるまで上方へ移動された後、停止する。
次に前述のように払出装置190から払出が行われ、前述のサイクルを繰り返す。
【００４５】
バケット250が上方の受渡位置PPに位置するまで、支持体268、270の直線部は294、296はガイド292によってガイドされつつ移動するので、保持状態SSを維持しつつ上方へ移動する。
バケット250が受渡位置PPに達した場合、直線部294、296はガイド292から外れる。
これにより、バケット250は自重により支軸264、266を支点に図9において反時計方向へ回動し、払出メダル保留装置146側へ傾き、トレイ272の底面が下向きに傾くので、トレイ250内のメダルは払出メダル保留装置146内へ滑落する。
【００４６】
次に払出メダル保留装置146を説明する。
払出メダル保留装置146は、リフト装置148から受け取ったメダルを保留する機能を有する。
具体的には水平断面が矩形筒状を呈し、下部がメダル払出装置144の上端に接続される。
払出メダル保留装置146の側壁の所定位置に光透過式のフルセンサ184が取り付けられている。
前述のように、フルセンサ184からフル信号が出力されるまで、払出装置190、搬送装置186及びリフト装置148の歩進運動が所定のタイミングで繰り返され、払出メダル保留装置146に所定量のメダルが保留されるようにしてある。
【００４７】
次にメダル払出装置144を説明する。
メダル払出装置144は、払出メダル保留装置146から流入したメダルを一つずつ区分けし、かつ、カウントしつつ縦向きのメダルシュート172へ払い出す。
メダル払出装置144は、所定数のメダルを払い出した場合、停止される。
メダル払出装置144は、例えば実用新案登録第2538531号に開示された所謂コインホッパーが使用される。
メダル払出装置144は、メダルが払い出される毎に検出信号を出力する払出センサ(図示せず)を有している。
また、メダルの払出を迅速に行うため、メダル払出装置を複数配置することができる。
【００４８】
メダル処理装置制御装置136は、タッチパネル付ディスプレイ112、生体認証装置122、人体センサ132、及び、メダル払出装置144の払出センサから信号を入力して所定の演算を行い、タッチパネル付ディスプレイ112に所定の表示を行い、容器自動供給装置150の分離装置を作動させて容器124を一つずつ落下させ、メダル払出装置144から所定数のメダルを払い出す処理を行わせる。
【００４９】
本発明は、メダル処理装置としてのメダル貸出機やメダルの洗浄装置等にも使用することができる。
【図面の簡単な説明】
【００５０】
【図１】図１は、実施例のメダル保留装置を装着したメダルの処理装置であるメダル預かり払出装置の斜視図である。
【図２】図２は、実施例のメダル保留装置を装着したメダルの処理装置であるメダル預かり払出装置の前面ドアを開き、メダル保留装置を引出した状態の斜視図である。
【図３】図３は、実施例のメダル保留装置を装着したメダルの処理装置であるメダル預かり払出装置のサイドカバー等を除去した状態における後ろ上方からの斜視図である。
【図４】図４は、実施例のメダル保留装置の左正面上方からの斜視図である。
【図５】図５は、実施例のメダルリフト装置の斜視図及び上端部の拡大斜視図である。
【図６】図６は、実施例のメダルリフト装置の上端部の拡大斜視図である。
【図７】図７は、実施例のメダルリフト装置の上端部の正面図である。
【図８】図８は、実施例のメダルリフト装置の受入位置における搬送装置とリフト装置との位置関係を示す要部断面図である。
【図９】図９は、図７におけるＡ−Ａ断面図である。
【符号の説明】
【００５１】
PP  受渡位置
RP  受取位置
SS  保留状態
246、248無端循環体
232  次行程
250  バケット
264、266  支軸
268、270  支持体
272  トレイ
274、276  規制ピン
278、280  弧状長孔
292  ガイド
【図１】
2007061447.tif 000003
【図２】
2007061447.tif 000004
【図３】
2007061447.tif 000005
【図４】
2007061447.tif 000006
【図５】
2007061447.tif 000007
【図６】
2007061447.tif 000008
【図７】
2007061447.tif 000009
【図８】
2007061447.tif 000010
【図９】
2007061447.tif 000011